(57)【要約】【課題】作業者にかかる負担を軽減でき、スナップリングの脱着をより容易に行える新規なスナップリングプライヤーを提供する。【解決手段】スナップリングの孔に挿入される一対の先端部（１ａ、１ｂ）と、反対側にある一対のグリップ部（３ａ、３ｂ）と、これらの間で延在する２つのボディ部（２ａ、２ｂ）とを備え、ボディ部（２ａ、２ｂ）は互いに交差した状態で回動可能に係止され、グリップ部（３ａ、３ｂ）を握持すると先端部（１ａ、１ｂ）間の距離が縮まるようになっているスナップリングプライヤー（１０）において、係止位置（４）と先端部（１ａ、１ｂ）との間でボディ部（２ａ、２ｂ）に跨って延在するロッド（６ｂ）をボディ部（２ａ、２ｂ）に固定して設け、これに嵌合したロック部材（６ａ、９）により、ボディ部（２ａ、２ｂ）への固定位置間の距離を任意の距離でロックし、これにより先端部（１ａ、１ｂ）間の距離を所定距離にて保持する。【選択図】図１
2010012536.tif 000002
【特許請求の範囲】
【請求項１】
スナップリングの両端に設けられた孔に各々挿入される一対の先端部と、
該一対の先端部と反対側に各々位置する一対のグリップ部と、
該一対の先端部と該一対のグリップ部との間で各々延在する２つのボディ部と
を備え、該２つのボディ部は互いに交差した状態で回動可能に係止されており、該一対のグリップ部を握持すると該一対の先端部間の距離が縮まるようになっているスナップリングプライヤーにおいて、
該２つのボディ部の係止位置と該一対の先端部との間で該２つのボディ部に跨って延在するロッドを２つのボディ部の各々に固定して設け、ロッドに嵌合したロック部材により、２つのボディ部への固定位置間の距離を任意の距離でロックし、これにより、該一対の先端部間の距離を所定距離にて保持することを特徴とする、スナップリングプライヤー。
【請求項２】
ロッドがネジ山を有し、ロッドに固着された２つの固定ナットにより、ロッドが前記２つのボディ部の各々に固定されている、請求項１に記載のスナップリングプライヤー。
【請求項３】
ロック部材がボルト頭部と蝶ナットとの組み合わせであり、蝶ナットをロッドのネジ山に沿って回転させることにより、ボルト頭部と蝶ナットとの間に位置する前記２つの固定ナットの固定位置間の距離を任意の距離でロックする、請求項２に記載のスナップリングプライヤー。
【請求項４】
ボルト頭部と固定ナットとの間および蝶ナットと固定ナットとの間にそれぞれフリーナットが存在する、請求項３に記載のスナップリングプライヤー。
【請求項５】
前記一対の先端部が同方向に向かって湾曲しており、穴内に配置されたスプリングを圧縮しながらスナップリングを穴に嵌め込むために用いられる、請求項１〜４のいずれかに記載のスナップリングプライヤー。
【発明の詳細な説明】
【技術分野】
【０００１】
本発明はスナップリング（または止め輪）を穴または軸などに脱着するために用いられるスナップリングプライヤーに関する。
【背景技術】
【０００２】
スナップリングは一般的にＣ字形を有し、伸縮または拡張可能であることを利用して、穴または軸に脱着される部材である。スナップリングの両端には孔が設けられており、スナップリングの脱着に際しては、これら孔の各々にスナップリングプライヤーの先端部を挿入し、スナップリングに伸縮力または拡張力を加えながら穴または軸の適切な位置に配置し、加えた力を除いてスナップリングを穴または軸に嵌合させている（例えば特許文献１および２を参照のこと）。
【０００３】
【特許文献１】特開平１０−５７４号公報
【特許文献２】特開平７−８８７８０号公報
【発明の開示】
【発明が解決しようとする課題】
【０００４】
穴用のスナップリングを装着する場合、穴内に配置されたスプリングを圧縮しながらスナップリングを（止め輪として）穴内の所定の位置に嵌め込むためには、専用のスナップリングプライヤーが使用されている。
【０００５】
このような用途では、スナップリングプライヤーのグリップ部を握ってスナップリングを収縮させながら、スナップリングをスプリングに上手く接触させ、そのまま穴内に押し込んでスプリングを圧縮し、スナップリングが所定の位置に達したときにグリップ部の握りを緩めて、スナップリングを穴に嵌合させる必要がある。
【０００６】
上記のような作業では、スナップリングを収縮させるためにスナップリングプライヤーのグリップ部を握持しながら押し込む作業が必要であり、また、スプリングの強度が高かったり、スナップリングがスプリングからずれたりすると、スプリングが作業者に向かって飛んでくることなどがあり、大変危険で作業者に負担のかかる作業である。
【０００７】
本発明は、かかる従来の課題を鑑みてなされたものであり、作業者にかかる負担を軽減でき、スナップリングの脱着をより容易に行える新規なスナップリングプライヤーを提供することを目的とする。
【課題を解決するための手段】
【０００８】
本発明によれば、
スナップリングの両端に設けられた孔に各々挿入される一対の先端部と、
該一対の先端部と反対側に各々位置する一対のグリップ部と、
該一対の先端部と該一対のグリップ部との間で各々延在する２つのボディ部と
を備え、該２つのボディ部は互いに交差した状態で回動可能に係止されており、該一対のグリップ部を握持すると該一対の先端部間の距離が縮まるようになっているスナップリングプライヤーにおいて、
該２つのボディ部の係止位置と該一対の先端部との間で該２つのボディ部に跨って延在するロッドを２つのボディ部の各々に固定して設け、ロッドに嵌合したロック部材により、２つのボディ部への固定位置間の距離を任意の距離でロックし、これにより、該一対の先端部間の距離を所定距離にて保持することを特徴とする、スナップリングプライヤーが提供される。
【０００９】
本発明のスナップリングプライヤーは、ロック機構として、該２つのボディ部に跨って延在し、かつ２つのボディ部の各々に固定して設けられたロッドに嵌合したロック部材を備える。このロック部材により、２つのボディ部への固定位置間の距離を任意の距離でロックし、よって、一対の先端部間の距離を所定距離にて保持することができる。このようなロック機構により、ロックした後はスナップリングを収縮させるためにグリップ部を握持する必要がないので、作業者にかかる負担を軽減することができる。また、任意の距離でロック可能なことにより、スナップリングの収縮状態を所望通りに調整できるので、本発明のスナップリングプライヤーは広範な用途に使用することができる。
【００１０】
本発明の一つの態様においては、ロッドがネジ山を有し、ロッドに固着された２つの固定ナットにより、ロッドが前記２つのボディ部の各々に固定されている。
【００１１】
このような固定方法を用いれば、市販のスナップリングプライヤーと同様の構成を利用し、これにロック機構を簡便に付加することができる。
【００１２】
上記態様において、好ましくは、ロック部材がボルト頭部と蝶ナットとの組み合わせであり、蝶ナットをロッドのネジ山に沿って回転させることにより、ボルト頭部と蝶ナットとの間に位置する前記２つの固定ナットの固定位置間の距離を任意の距離でロックする。
【００１３】
このようなロック部材は、ウォームの原理を応用したものであり、作業者はグリップ部を握持してスナップリングを収縮させながら蝶ナットを廻し締めるだけで、スナップリングの一対の先端部間の距離を任意の所定距離にて簡単にロック（保持）することができる。また、このようなロック部材は、スナップリングを収縮させた状態で、穴などの配置箇所（スナップリングを装着すべき箇所）に達すると、蝶リングを廻し緩めるだけで、スナップリングから収縮力を除き、反発力によりスナップリングを穴に容易に嵌め込むことができる。
【００１４】
上記態様において、ボルト頭部と固定ナットとの間および蝶ナットと固定ナットとの間にそれぞれフリーナットを設けてよい。これにより、弛みを効果的に防止して、高いロック性を提供することができる。
【００１５】
本発明の更なる態様においては、前記一対の先端部が同方向に向かって湾曲しており、穴内に配置されたスプリングを圧縮しながらスナップリングを穴に嵌め込むために用いられる。
【００１６】
このような用途においては、従来のスナップリングプライヤーでは握る（絞る）力と押し込む力との別方向の二つの力を同時に加える必要があったのに対し、本発明のスナップリングプライヤーはロック部材でロックした後は握る力が不要となる。握る力は押し込む力に比べて強い力を要するので、これを不要とすることにより、本発明のスナップリングプライヤーはこのような用途において作業者の負担を著しく軽減することができる。
【００１７】
しかしながら、本発明は上記用途に限定されず、本発明のスナップリングプライヤーは、例えばスナップリングを拡張させて軸に嵌め合わせるためにも用い得る。
【発明の効果】
【００１８】
本発明のスナップリングプライヤーにおいては、２つのボディ部の係止位置と該一対の先端部との間で、該２つのボディ部に跨って延在するロッドをボディ部の各々に固定して設け、ロッドに嵌合したロック部材により、ボディ部に対する固定位置間の距離を任意の距離でロックし、これにより、該一対の先端部間の距離を所定距離にて保持するというロック機構を用いる。このような本発明によれば、作業者にかかる負担を軽減でき、スナップリングの脱着をより容易に行える新規なスナップリングプライヤーが提供される。
【発明を実施するための最良の形態】
【００１９】
本発明の一つの実施形態におけるスナップリングプライヤーを図面を参照しながら以下に説明する。
【００２０】
図１〜３を参照して、本実施形態のスナップリングプライヤー１０は、一対の先端部１ａおよび１ｂと、その反対側に各々位置する一対のグリップ部３ａおよび３ｂと、これらの間で各々延在する２つのボディ部２ａおよび２ｂとを備え、これらボディ部２ａおよび２ｂは係止部４にて、互いに交差した状態で回動可能に係止されている。本実施形態を限定するものではないが、ボディ部２ａおよび２ｂはスプリング５によって接続されており、外力を加えない状態では一対の先端部１ａおよび１ｂの間が開いている（図１を参照のこと）。そして、一対のグリップ部３ａおよび３ｂを握持すると、一対の先端部１ａおよび１ｂの間の距離が閉じる（縮まる）ようになっている（図２を参照のこと）。一対の先端部１ａおよび１ｂは、同方向に向かって湾曲しており、スナップリング１１の両端に設けられた孔１２ａおよび１２ｂに各々挿入される（図３を参照のこと）。
【００２１】
更に、２つのボディ部２ａおよび２ｂの係止位置（係止部４）と一対の先端部１ａおよび１ｂとの間において、ボルト支柱部６ｂが、これら２つのボディ部２ａおよび２ｂに跨って延在している。このボルト支柱部６ｂはネジ山を有するロッドであり、これに固着された２つの固定ナット７ａおよび７ｂによって、２つのボディ部２ａおよび２ｂの各々に固定されている。ボルト支柱部６ｂには、ボルト頭部６ａと固定ナット７ａとの間にフリーナット８ａを挟んで設け、固定ナット７ｂと蝶ナット９との間にフリーナット８ｂを挟んで設ける。ボルト支柱部６ｂに嵌合したボルト頭部６ａと蝶ナット９との組み合わせがロック部材として機能し、蝶ナット９をボルト支柱部６ｂのネジ山に沿って回転させることにより、ボルト頭部６ａと蝶ナット９との間にフリーナット８ａおよび８ｂを介して位置する２つの固定ナット７ａおよび７ｂの固定位置間の距離を任意の距離でロックする。これにより、一対の先端部１ａおよび１ｂ間の距離を所定距離にて保持できるようになっている。また、フリーナット８ａおよび８ｂによりロック性が高められている（または緩み難くなっている）。
【００２２】
このような本実施形態のスナップリングプライヤー１０は、管状部材などの穴１５内にスプリング１１を配置して、これを例えばピストン１７によって圧縮しながらスナップリング１１を穴１５の溝１６に嵌め込むために用いられる（図３を参照のこと）。
【００２３】
より詳細には、まず、スナップリングプライヤー１０の先端部１ａおよび１ｂをスナップリング１１の孔１２ａおよび１２ｂに各々挿入し、グリップ部３ａおよび３ｂを握持して一対の先端部１ａおよび１ｂの間の距離を縮めてスナップリング１１に収縮力を加え、スナップリング１１を穴１５に入れるのに適するように収縮させた状態を保持するように、蝶ナット９を絞めこんでロックする。これにより、以後は外力を加えなくてもスナップリング１１が収縮した状態となる。そして、スナップリングプライヤー１０の先端部１ａおよび１ｂを、このように収縮させたスナップリング１１の孔１２ａおよび１２ｂに挿入したまま、スプリング１８をピストン１７で押し込みつつ、溝１６の位置に配置し、その後、蝶ナット９を緩めることにより、瞬間的にスプリングナット１１から収縮力を除いて穴１５の溝１６に嵌合させることができる。
【００２４】
このような本実施形態のスナップリングプライヤー１０によれば、スナップリング１１を穴１５に押し込む際には握る力が不要であるので、従来よりも作業者の負担を著しく軽減することができる。
【産業上の利用可能性】
【００２５】
本発明のスナップリングプライヤーは、スナップリングを穴などに嵌合させるために利用できる。例えば、液体を瓶に充填する充填機において、瓶口に被せられる充填管部にスプリングを圧縮状態で止めるためのスナップリングを装着するために用いられ得るが、本発明はこれに限定されない。
【図面の簡単な説明】
【００２６】
【図１】本発明の一つの実施形態におけるスナップリングプライヤーの開状態を示す概略図である。
【図２】図１のスナップリングプライヤーの閉状態を示す概略図である。
【図３】図１のスナップリングプライヤーの使用状態を説明する概略図である。
【符号の説明】
【００２７】
１ａ、１ｂ  先端部
２ａ、２ｂ  ボディ部
３ａ、３ｂ  グリップ部
４  係止部
５  スプリング
６ａ  ボルト頭部
６ｂ  ボルト支柱部（ネジ山を有するロッド）
７ａ、７ｂ  固定ナット
８ａ、８ｂ  フリーナット
９  蝶ナット
１０  スナップリングプライヤー
１１  スナップリング
１２ａ、１２ｂ  孔
１５  穴
１６  溝
１７  ピストン
１８  スプリング
【図１】
2010012536.tif 000003
【図２】
2010012536.tif 000004
【図３】
2010012536.tif 000005